(57)【要約】【課題】血行促進効果を向上することができる治療素子を提供する。【解決手段】本考案に係る健康装置１は、光回折格子シート６、１又は２以上の抵抗素子４が載置された第１の電磁波遮断シート４４、１又は２以上のダイオード素子３１が載置された磁気テープ３４、１又は２以上の抵抗素子２が載置された第２の電磁波遮断シート２４、を順次積層した。【選択図】図１
0003136504.tif 000002
【実用新案登録請求の範囲】
【請求項１】
光回折格子シート、
１又は２以上の抵抗素子が載置された第１の電磁波遮断シート、
１又は２以上のダイオード素子が載置された磁気テープ、
１又は２以上の抵抗素子が載置された第２の電磁波遮断シート、
を順次積層した健康装置。
【請求項２】
前記第１の電磁波遮断シート及び／又は第２の電磁波遮断シートは、アルミニウム箔又はアルミニウム箔と樹脂フィルムとを貼りあわせたシートである請求項１記載の健康装置。
【請求項３】
前記抵抗素子の抵抗値は、１０ｋΩ〜５００ｋΩである請求項１又は２記載の健康装置。
【請求項４】
前記アルミニウム箔は１〜１００μｍの厚さである請求項２又は３記載の健康装置。
【請求項５】
前記抵抗素子の一対の配線端子がループ状に折り返されている請求項１ないし４のいずれか１項記載の健康装置。
【請求項６】
一対の配線端子は互いに逆方向に折り返されている請求項５記載の健康装置。
【請求項７】
前記ダイオード素子はシリコン整流素子である請求項１ないし６のいずれか１項記載の健康装置。
【請求項８】
複数のダイオード素子を平行に配置した請求項１ないし７のいずれか１項記載の治療素子。
【請求項９】
隣り合うダイオード素子の整流方向は逆向きである請求項８記載の治療素子。
【請求項１０】
前記抵抗素子がカーボン被膜抵抗素子である請求項１ないし９のいずれか１項記載の健康装置。
【考案の詳細な説明】
【技術分野】
【０００１】
本考案は、電子部品を使用した治療素子に関するものである。
【背景技術】
【０００２】
【特許文献１】特開平０９−２１５７５６号公報  従来から、肩こり等が生じたときに、その患部付近や人体のつぼ付近に磁性体等を備えた粘着テープを貼り付け、その磁性体の磁力によって血行を促進することで肩こり等を解消する技術が周知である。
【０００３】
また、このような血行を促進させることを目的とし、磁性体の磁力に変えて人体に微弱な電流を流すことが可能な電子部品としての抵抗を設けた技術も知られている（例えば、特許文献１参照）。
【０００４】
このような磁力に変わる微弱な電流を用いた治療方法は、例えば、鍼灸師の施術によって、人体つぼに鍼を刺したり端子を押し当て、これら針や端子に電流を流すことで血行を促進させる治療行為として周知である。
【０００５】
しかしながら、鍼を人体つぼに刺すことは一般の素人には危険であるし、端子を人体つぼに押し当てるものは装置全体が大掛かりなものとなって携帯性に向かない等の問題が生じ、しかも、治療行為に該当するために簡易に実行することができない等の不具合が生じていた。
【０００６】
そこで、上述した特許文献１では、人体の皮膚には汗腺から分泌された汗にイオン物質成分が含まれていることに注目し、この人体つぼを電池の電解槽と見立てて、人体つぼの近傍にカソード材を含有するカソード電極とアノード材を含有するアノード電極を接近して密着させると、そこに電池が形成されて電流が人体つぼに流れる現象を利用したものである。
【考案の開示】
【考案が解決しようとする課題】
【０００７】
ところで、上述した電子部品としての抵抗を用いた技術は、電源そのものは使用しないため、磁性体を備えた粘着テープ等と同様に専門の資格等を有しなくても使用が可能となるものの、近年の高磁力の磁性体に比べて血行促進効果を充分に発揮するっことができないという問題が生じていた。
【０００８】
本考案は、上記問題を解決するため、血行促進効果を向上することができる治療素子を提供することを目的とする。
【課題を解決するための手段】
【０００９】
請求項１に係る考案は、光回折格子シート、
１又は２以上の抵抗素子が載置された第１の電磁波遮断シート、
１又は２以上のダイオード素子が載置された磁気テープ、
１又は２以上の抵抗素子が載置された第２の電磁波遮断シート、
を順次積層した健康装置である。
【００１０】
請求項２に係る考案は、前記第１の電磁波遮断シート及び／又は第２の電磁波遮断シートは、アルミニウム箔又はアルミニウム箔と樹脂フィルムとを貼りあわせたシートである請求項１記載の健康装置である。
【００１１】
請求項３に係る考案は、  前記抵抗素子の抵抗値は、１０ｋΩ〜５００ｋΩである請求項１又は２記載の健康装置である。
【００１２】
請求項４に係る考案は、  前記アルミニウム箔は１〜１００μｍの厚さである請求項２又は３記載の健康装置である。
【００１３】
請求項５に係る考案は、前記抵抗素子の一対の配線端子がループ状に折り返されている請求項１ないし４のいずれか１項記載の健康装置である。
【００１４】
請求項６に係る考案は、一対の配線端子は互いに逆方向に折り返されている請求項５記載の健康装置である。
【００１５】
請求項７に係る考案は、前記ダイオード素子はシリコン整流素子である請求項１ないし６のいずれか１項記載の健康装置である。
【００１６】
請求項８に係る考案は、複数のダイオード素子を平行に配置した請求項１ないし７のいずれか１項記載の治療素子である。
【００１７】
請求項９に係る考案は、隣り合うダイオード素子の整流方向は逆向きである請求項８記載の治療素子である。
【００１８】
請求項１０に係る考案は、  前記抵抗素子がカーボン被膜抵抗素子である請求項１ないし９のいずれか１項記載の健康装置である。
【考案の効果】
【００１９】
本考案の治療素子によれば、血行促進効果を向上することができる。
そして、体を温めることが可能であり、また、肩こりがとれるという効果も達成する。
人間、犬、猫その他の動物に対して効果を発揮する。
【考案を実施するための最良の形態】
【００２０】
（実施の形態１）
次に、本考案の治療素子に係る実施の形態を図面に基づいて説明する。
図１は本考案の実施の形態１に係る治療素子の説明図である。
本形態に係る治療素子１は、光回折格子シート６、２つの抵抗素子２が載置された第１の電磁波遮断シート４４、３つのダイオード素子３が載置された磁気テープ３４、２つの抵抗素子２２が載置された第２の電磁波遮断シート２４、を順次積層した健康装置である。
図１において、治療素子１は、表層シート５によって包囲されている。
【００２１】
（光回折格子シート）
本考案では、光回折格子シート６（図１、図２）を用いる。光回折格子シートは、プリズムシートあるいはフィルムとも呼ばれている。光回折格子シートが本考案の効果を達成する上でどのような作用を果たしているのかの理論的解明はなされてはいない。しかし、光回折格子シートを除いた構成にした場合には、本考案の効果は低減する。
【００２２】
光回折格子シートは輝度を増す作用を有している。輝度がますことは、光の強さが大きくなること、すなわち、光子（フォトン：photon）の数が多くなることを意味している。従って、回折格子シートにより、光子の数を増し、照射された対象（体内あるいは本考案装置内の部品）からはじき出す電子（光電効果による発生する電子）の数が多くなり、それが本考案の効果に作用しているのではないかと推測される。あるいは、体内の光子の量を調整する役割を果たしてそれが本考案の効果に何らかの作用を果たしているとも推測される。いずれにしろ、光回折格子シートが本考案の効果達成に必要とされることは実験により確認されている。
【００２３】
（第１の電磁遮断シート上の抵抗素子）
第１の電磁波遮断シート４４の上には抵抗素子２ａ，２ｂが載置されている。本例では、図３（Ｂ）に示すように２つの抵抗素子２ａ，２ｂが平行に配置されている。
抵抗素子２は、図３（Ａ）に示すように、抵抗部４１の両端に配線端子４２，４３を有している。
【００２４】
なお、抵抗素子２の抵抗値は、１０ｋΩ〜５００ｋΩが好ましく、５０〜１５０ｋΩがより好ましい。
抵抗素子の具体的例としては、カーボン被膜抵抗素子（例えば、ＫＯＡ株式会社製  リード線形抵抗器（汎用炭素皮膜抵抗器）ＣＦＳ１／４Ｃ、抵抗値：１００ｋΩ）を用いることが好ましい。
【００２５】
さらに、抵抗素子２の配線端子４２，４３は、図３（Ｂ）に示すように、それぞれをループ状に折り返されている。折り返しは、図面において左の配線端子４３は下側（図面において）に折り返し、右の配線端子４２は上側（図面において）に折り返している。
２つの抵抗素子２ａ，２ｂの端子配線の折り返し方向は同じとしてもよい。
複数の抵抗素子２ａ，２ｂを第１の電磁波遮断シート４４上に載置する場合、それぞれが重なり合ってもよい。
【００２６】
なお、抵抗素子２と電磁波遮断シート２４とは接着剤により両者を固定してもよい。また、両者を表層シートで包囲してもよい。この場合には接着剤の影響を避けることができる。なお、表層シートとしてはセロハンテープを用いることもできる。図１に示すように、全体を表層シートで強く包み込めば、内部において抵抗素子が移動することを防止できる。
【００２７】
（第１の磁気遮断シート）
一方、磁気遮断シート４４は電磁波遮断作用を有する。例えば、アルミニウム箔を用いればよい。また、アルミニウム箔に樹脂フィルム（例えばポリエステルフィルム）を貼り付けたシートを用いてもよい。電磁波遮断シート４４の厚みとしては、１μｍ〜１００μｍが好ましく、５μｍ〜１５μｍがより好ましい。
【００２８】
また、第１の磁気波遮断シート４４は「ケシ面」（つや消し面）と「ツヤ面」（鏡面）を有しているものが好ましい。ツヤ面側に抵抗素子２ａ，２ｂを載置することが好ましい。すなわち、ケシ面は光回折格子シート６側になる。
【００２９】
第１の電磁波遮断シートとしては、具体的には、パナソニック株式会社製「アルペット１０−３８Ｋ」を用いることができる。このシートは、１０μｍのアルミニウム箔と３８μｍのポリエステルフィルムとを接着剤で貼り合わせた複合材料である。ポリエステルフィルムが貼り合わせた状態で用いてもよいし、ポリエステルフィルムは剥がしてアルミニウム箔のみを用いてもよい。
【００３０】
（磁気テープ）
抵抗素子２ａ，２ｂが載置された第１の電磁波遮断シート４４上には、ダイオード素子３１が載置された磁気テープ３４を積み重ねる。
磁気テープ３４としては、市販されている、ビデオテープ（例えば、ＶＨＳビデオテープ）、音楽のカセットテープを用いることができる。
【００３１】
（ダイオード素子）
磁気テープ３４上にはダイオード素子３が載置される。図４（Ｂ）に示す例では、３本のダイオード素子３ａ，３ｂ，３ｃが平行に配列して載置されている。
【００３２】
整流方向は、図４（Ｂ）に示す例では、ダイオード素子３では右側がアノード、ダイオード素子３ｂでは左側がアノード、ダイオード素子３ｃでは右側がアノードである。すなわち、ダイオード素子は、その整流方向を互い違いに配置することが好ましい。
ダイオード素子はダイオード部３１ａ，３１ｂ，３１ｃとアノード３２ａ，３３ｂ，３２ｃ、カソード３３ａ，３２ｂ，３３ｃの配線端子から構成されるが、本例においては、配線端子は抵抗素子の場合とは異なり、ループ状に折り返しは行わない。
【００３３】
本例におけるダイオード素子３としては、シリコン整流子（例えば、株式会社日立製作所  シリコン整流子ＳＲーＶ０６Ｊ）を用いることができる。
【００３４】
（第二の電磁波遮断シート上の抵抗素子）
第２の電磁波遮断シート状の抵抗素子を図５に示す。
図５に示す通り、第２の電磁波遮断シート上の抵抗素子は第１の電磁波遮断シート上に載置した抵抗素子と同様である。
ただ、抵抗素子の数、抵抗素子の抵抗値は第１の電磁波遮断シート上の抵抗素子と異なってものを使用することも可能である。
【００３５】
（第２の電磁波遮断シート）
第の電磁波遮断シートは、第１の電磁波遮断シートと同じシートを使用してもよい。ただ、ただ、第２の電磁波遮断シーとの厚さは第１の電磁波遮断シートの厚さより厚くすることが好ましい。例えば、パナソニック株式会社製「アルペット１２−２５」を用いることができる。このシートは、１２μｍのアルミニウム箔と２５μｍのポリエステルフィルムとを接着剤で貼り合わせた複合材料であり、ケシ面は有していない。
【００３６】
（表層シート）
表層シート５は、第１の電磁波遮断シート４４、磁気テープ３４、第２の電磁波遮断シートを積み重ねた状態で全体を包み込む。表層シート５は、第１の電磁波遮断シート４４、磁気テープ３４、第２の電磁波遮断シート、抵抗素子、ダイオード素子を一体的にまとている。それぞれを接着して一体的にした場合には必ずしも用いなくともよい。
【００３７】
（使用態様）
本考案に係る健康装置は、例えば、長さ２ｃｍ、幅１ｃｍ、高さ５ｍｍの寸法とするこことができる。この健康装置をマジックテープ付のリフトバンドに取り付けておくことにより身のつけることにより使用することが可能である。１個あるいは複数を身につけて使用すればよい。また、
【実施例】
【００３８】
図１に示す健康装置を、図６に示すように被験者の左手に装着して実験を行った。
実験は、装着後一両日後における症状の改善変化の有無を調べることに実施した。
【００３９】
実験結果を表１に示す。
表１に示す通り、大半の被験者において一両日後において症状は改善されていた。
なお、図１に示す健康装置を装着しない被験者については一両日後において症状の変化は認められなかった。
（表１）
性別    年齢        チップ前の症状          チップ後の変化(一両日中の変化)  判定
男      35          左右の肩こり            肩こりが無くなった              ○
腰痛                    痛みが取れた
左上半身があたたかくなる
男      14          左右の肩こり            無くなった                      ○
左肘の痛み              無くなった
左二の腕の痛み          無くなった
女      46          左右の肩こり            あたたかくなる                  △
腰痛、腕、背中の痛み
頭痛
女      50          左右の肩こり            無くなった                      ○
頭痛                    無くなった
足の浮腫
女      29          右肩こり                無くなった                      ○
右足スネの痛み          無くなった
視界が明るくなる
女      65          頭痛                    痛みが取れた                    ○
背部痛                  左側３割残っているが、改善
右側痛みがとれる
女      51          左右の肩こり            あたたかくなる                  ○
頸椎のこり              首が回らなかったが、
左右に動くようになる
頭痛                    変化無しだが、
目の腫れはスッキリする
女      58          左右の肩こり            １５分後、左側が少し軽くなる    △
２５分後、５割改善
女      32          左右の肩こり            右、こりが無くなる              ○
左、楽になる
背中があたたかくなる
女      28          左右の肩こり            首筋、軽くなる                  ○
首、肩あたたかくなる
女      46          首の痛み、首が回らない  痛みが取れた                    ○
（特に左は痛みを全く感じない）
左足首の痛み            左半身が軽くなる
（捻挫時のような痛み）
女      26          左右の肩こり            ５割改善。軽くなる              △
首が回る
女      52          右肩こり、痛み                                          ○
腰痛                    改善
女      26          左右の肩こり            改善                            ○
腰痛                    改善
女      68          左右の肩こり                                            △
腰痛                    改善
男      39          左右の肩こり            ５割改善  スッキリした          ○
頚部痛み                ７割改善  気持ちが良い
女      44          下腹部痛                変化無し                        ×
女      17          腰痛                    痛みが取れた                    ○
女      45          右肩痛み（可動時）      完全に痛みが消えた              ○
女      65          足首、両肘の痛み        痛みが取れた                    ○
女      48          右肩こり、上がらない    上がるようになる                ○
女      32          左肩痛み                症状が全て改善                  ○
男      ４          腹痛                    痛みが取れた                    ○
女      65          左肩こり                あたたかくなる                  △
女      36          頭痛、頭重感            痛みが軽くなる                  ○
女      57          背中のこり              何も感じない                    ×
女      50          腰痛                    痛みが取れた                    ○
（左側の下が痛む程度）
男      55          左右の肩こり            少し軽減。軽くなる              △
女      55          背部痛                  まだ違和感が残るが、軽減        △
女      50                                  腰〜背部があたたかくなる        △
女      66          右肩こり                改善                            ○
男      25          左腱鞘炎の痛み          使用前より痛み軽減、            ○
だいぶ楽になる
男      45          右肩、肘の痛み          痛み取れた                      ○
右手首の痛み            
右首筋の痛み            残っている
左手首のしびれ          手首の先だったのが
指先だけの範囲になる
女      67          左右の肩こり                                            △
指、腕、膝の痛み        指の痛みの改善
頭痛
手の冷え                背中がなんとなくあたたかい
女      45          左右の肩こり            変化なし                        △
腰痛                    尾てい骨の痛みは２割改善
股関節痛                １〜２割改善、腰骨の痛みは改善
足の冷え                変化なし
女      46          左右の肩こり、                                          ○
背中のこり
首の痛み、首が回らない  １日後全体的に左側楽になる
両足首、ふくらはぎ、
膝の痛み
両腕の痛み
女      42          右肩こり                ７割程症状の軽減                ○
両手があたたかくなる
男      41          左右肩こり              改善した                        △
頚部痛                  変化なし
男      58          左肩こり                全身があたかかくなり            ○
６〜７割改善
左背部痛
女      16          左右肩こり              ６〜７割改善                    ○
頸部の違和感            首を回すとゴリゴリしていたが、
改善
女      36          左肩の冷え              あたたかくなる                  △
女      41          左右肩こり                                              ○
左腕の痛み              痛みが取れた
女      30          顔のかゆみ              かゆみが取れた                  ○
手のかゆみ              チップを貼った側あたたかくなる
男      65          胃〜腹部にかけて                                        ○
シクシク痛む            痛みが取れた
右肩こり                背中から肩あたたかくなる
男      25                                  左手首あたたかくなる            ○
手の力強くなる
○有効  △やや有効  ×無効
【図面の簡単な説明】
【００４０】
【図１】本考案の実施の形態に係る健康装置の正面図図である。
【図２】図１における光回折格子シートを示し、（Ａ）平面図、（Ｂ）は正面図である。
【図３】図１における第１の電磁波遮断シートとその上の抵抗素子を示し、（Ａ）平面図、（Ｂ）は正面図である。
【図４】図１における磁気テープとその上のダイオード素子を示し、（Ａ）平面図、（Ｂ）は正面図である。
【図５】図１における第２の電磁波遮断シートとその上の抵抗素子を示し、（Ａ）平面図、（Ｂ）は正面図である。
【図６】本考案の実施例に係る健康装置を被験者への装着状態を示す写真である。
【符号の説明】
【００４１】
１  健康装置
２，２ａ，２ｂ  抵抗素子
２１  抵抗部
２２，２３  配線端子
２４  第１の電磁波遮断シート
３，３ａ，３ｂ，３ｃ  ダイオード素子
３１  ダイオード部
３２，３３  配線端子
３４  磁気テープ、
４，４ａ，４ｂ，  抵抗素子
４１  抵抗部
４２，４３  配線端子
４４  第２の電磁波遮断シート
６  光回折格子シート
【図１】
0003136504.tif 000003
【図２】
0003136504.tif 000004
【図３】
0003136504.tif 000005
【図４】
0003136504.tif 000006
【図５】
0003136504.tif 000007
【図６】
0003136504.tif 000008
【手続補正書】
【提出日】平成19年8月28日(2007.8.28)
【手続補正１】
【補正対象書類名】明細書
【補正対象項目名】００３７
【補正方法】変更
【補正の内容】
【００３７】
（使用態様）
本考案に係る健康装置は、例えば、長さ２ｃｍ、幅１ｃｍ、高さ５ｍｍの寸法とするこことができる。この健康装置をマジックテープ（登録商標）付のリフトバンドに取り付けておくことにより身のつけることにより使用することが可能である。１個あるいは複数を身につけて使用すればよい。また、